(57)【要約】【課題】操作性に優れたソープディスペンサーを提供する。【解決手段】ソープディスペンサー８は、往復移動して石鹸液Ｓ及び空気を送出するポンプ機構１と、手動により回転操作可能に設けられた回転操作部８５と、回転操作部８５の回転をポンプ機構１の往復移動に変換する動力伝達機構３と、ポンプ機構１から送出された石鹸液Ｓ及び空気を吐出する吐出ノズル８７と、を備えて構成されている。【選択図】図２
2018001083.tif 000002
【特許請求の範囲】
【請求項１】
往復移動して石鹸液を含む流体を送出するポンプ機構と、
手動により回転操作可能に設けられた回転操作部と、
前記回転操作部の回転を前記ポンプ機構の往復移動に変換する動力伝達機構と、
前記ポンプ機構から送出された前記石鹸液を含む流体を吐出する吐出部と、を備えることを特徴とするソープディスペンサー。
【請求項２】
回転により前記ポンプ機構を往復移動させる斜板を備え、
前記動力伝達機構が、前記回転操作部の回転数を増幅して前記斜板に伝達し前記斜板を回転させることを特徴とする請求項１に記載のソープディスペンサー。
【請求項３】
前記動力伝達機構が、前記回転操作部に一体回転可能に設けられた第１ギアと、前記斜板を回転させる回転部材に一体回転可能に設けられた第２ギアと、前記第１ギアと前記第２ギアとの間に介在する一つ以上のアイドルギアと、を備えた増速ギア列により構成されることを特徴とする請求項１又は２に記載のソープディスペンサー。
【請求項４】
前記ポンプ機構が、
ダイヤフラムによりポンプ室の体積を拡縮させるダイヤフラムポンプと、
ピストン及び当該ピストンを収容するシリンダを有するピストンポンプと、を備え、
前記斜板が、回転することにより傾斜角度に応じて前記ダイヤフラム及び前記ピストンを往復移動させることを特徴とする請求項１から３のいずれか一項に記載のソープディスペンサー。
【発明の詳細な説明】
【技術分野】
【０００１】
本発明は、ソープディスペンサーに関する。
【背景技術】
【０００２】
従来、石鹸液とエアとを混合し、石鹸液をムース状として吐出するソープディスペンサーが知られている（例えば、特許文献１参照。）。
【０００３】
特許文献１に記載のソープディスペンサーは、石鹸液ポンプ、エアポンプの各機能を有する機構部を内蔵する本体部に対して上下方向に移動可能に設けられた押ボタン式の操作部を備えている。当該操作部は通常時はコイルスプリングの上向きの付勢力によって、上向きに押し上げられた状態にあり、使用者が操作部を下向きに押し込むと、ピストンが下向きに押し込まれ、ポンプ作用により石鹸液が揚液される。揚液された石鹸液はエアと混合され、ムース状の石鹸液として吐出される。
【先行技術文献】
【特許文献】
【０００４】
【特許文献１】特許４９７９６０３号
【発明の概要】
【発明が解決しようとする課題】
【０００５】
しかしながら、上記特許文献１におけるソープディスペンサーは、石鹸液を揚液するために上向きに付勢された操作部を強く押し込む必要がある。また、石鹸液を連続して吐出させる場合には、押し込まれた操作部が元の位置に戻るのを待ってから操作部を押し込む必要があり、操作性の改善が望まれている。
【０００６】
本発明の目的は、操作性に優れたソープディスペンサーを提供することにある。
【課題を解決するための手段】
【０００７】
本発明の一の態様であるソープディスペンサーは、往復移動して石鹸液を含む流体を送出するポンプ機構と、手動により回転操作可能に設けられた回転操作部と、前記回転操作部の回転を前記ポンプ機構の往復移動に変換する動力伝達機構と、前記ポンプ機構から送出された前記石鹸液を含む流体を吐出する吐出部と、を備えることを特徴とする。
【０００８】
上記の態様においては、回転により前記ポンプ機構を往復移動させる斜板を備え、前記動力伝達機構が、前記回転操作部の回転数を増幅して前記斜板に伝達し前記斜板を回転させることが好ましい。
【０００９】
上記の態様においては、前記動力伝達機構が、前記回転操作部に一体回転可能に設けられた第１ギアと、前記斜板を回転させる回転部材に一体回転可能に設けられた第２ギアと、前記第１ギアと前記第２ギアとの間に介在する一つ以上のアイドルギアと、を備えた増速ギア列により構成されることが好ましい。
【００１０】
上記の態様においては、前記ポンプ機構が、ダイヤフラムによりポンプ室の体積を拡縮させるダイヤフラムポンプと、ピストン及び当該ピストンを収容するシリンダを有するピストンポンプと、を備え、前記斜板が、回転することにより傾斜角度に応じて前記ダイヤフラム及び前記ピストンを往復移動させることが好ましい。
【発明の効果】
【００１１】
本発明の一態様であるソープディスペンサーは、手動により回転操作可能に設けられた回転操作部と、回転操作部の回転をポンプ機構の往復移動に変換する動力伝達機構と、を備えている。このような構成により、回転操作部をどちらの方向に回転しても石鹸液を吐出させることができるため、操作性に優れる。
【００１２】
上記の態様において、ポンプ機構が、回転によりポンプ機構を往復移動させる斜板を備え、動力伝達機構が、回転操作部の回転数を増幅して斜板に伝達し斜板を回転させる構成とすれば、少ない回転操作量で斜板を増幅して回転させることができるため、操作性に優れる。また、回転操作部を連続して回転操作することが可能であり、連続して回転させることで石鹸液を含む流体を無段階に必要量吐出させることができるため、操作性に優れる。
【００１３】
上記の態様において、動力伝達機構が、回転操作部に一体回転可能に設けられた第１ギアと、斜板を回転させる回転部材に一体回転可能に設けられた第２ギアと、第１ギアと前記第２ギアとの間に介在する一つ以上のアイドルギアと、を備えた増速ギア列により構成されるものとすれば、少ない回転操作量で斜板を増幅して回転させることができるため、操作性に優れる。
【００１４】
上記の態様において、ポンプ機構が、ダイヤフラムによりポンプ室の体積を拡縮させるダイヤフラムポンプと、ピストン及び当該ピストンを収容するシリンダを有するピストンポンプと、を備え、斜板が、回転することにより傾斜角度に応じてダイヤフラム及びピストンを往復移動させる構成とすれば、石鹸液を含む流体の混合比を適切に調整することができる。
【図面の簡単な説明】
【００１５】
【図１】本発明の一実施形態に係るソープディスペンサーの縦断面図である。
【図２】図１のソープディスペンサーの概略構成図である。
【図３】図２のポンプ機構の縦断面図である。
【図４】図３のポンプ機構の断面とは異なる断面を示すポンプ機構の縦断面図である。
【図５】ダイヤフラムポンプとピストンポンプとの配置を示す図である。
【図６】一対のダイヤフラムポンプとピストンポンプの動作を示す縦断面図である。
【発明を実施するための形態】
【００１６】
以下、本発明の一実施形態に係るポンプ機構及びソープディスペンサーを、図１から図６を参照して説明する。
【００１７】
＜ソープディスペンサー＞
ソープディスペンサー８は、ポンプ機構１から送出された空気（図示せず）と石鹸液Ｓとを混合し、内部に気泡を生じたムース状の石鹸液として吐出する装置である。図１に示すように、ソープディスペンサー８は、洗面器などが取り付けられている例えばカウンタ等の取付基体９に設置され、使用者の動作によりムース状の石鹸液を吐出する。ソープディスペンサー８は、例えば金属製部材から構成された本体部８１と、本体部８１を固定する取付部８２と、本体部８１に供給する石鹸液Ｓを貯留するタンク部８３と、を備えている。
【００１８】
本体部８１は、垂直方向に延びる円筒形状の収容部８４と、収容部８４内に収容されるポンプ機構１と、ソープディスペンサー８を操作する回転操作部８５と、を備えている。本体部８１は、取付部８２に被せるように取り付けられて取付基体９上に固定されている。収容部８４は、その内側にポンプ機構１を収容し、ポンプ機構１の後述する第１送出経路７２及び後述する第２送出経路７４が後述する混合部８６に接続されるように、取付部８２に取り付けられている。
【００１９】
回転操作部８５は、有底の円筒形状に形成された部材であり、その側面の内側が収容部８４の側面の外側と対向するように収容部８４の上方の開口を塞ぐように配されている。回転操作部８５は、手動により周方向に回転可能に設けられており、使用者が回転操作部８５を回転させると、後述する動力伝達機構３を介してポンプ機構１に動力が伝達されて、ポンプ機構１の斜板２が回転し、ソープディスペンサー８からムース状の石鹸液が吐出される。
【００２０】
図２は、ソープディスペンサー８の概略構成図であり、図２において収容部８４は省略して記載されている。図２に示すように、取付部８２は、取付基体９の上側に突き出した有底の円筒形状に形成された固定部８２ａと、取付基体９に形成された取付孔９１に挿通されて取付部８２を取付基体９に固定する円筒形状の挿通部８２ｂと、を備え、取付基体９に固定されている。固定部８２ａとタンク部８３とは、固定部８２ａの底に形成された開口部８２ｃ及び挿通部８２ｂを介して連通しており、石鹸液Ｓのタンク部８３への補給は、本体部８１を取付部８２から取り外し、開口部８２ｃから石鹸液Ｓを注ぐことで可能となる。また、連通部８２ｂ内には、タンク部８３の石鹸液Ｓを本体部８１に吸い上げる吸上げチューブＴ配されている（図１）。吸上げチューブＴは、一方の端部が石鹸液Ｓに浸され、他方の端部が本体部８１の後述する第２吸入経路７３に接続されている。
【００２１】
固定部８２ａは、ポンプ機構１から送出された空気及び石鹸液Ｓを混合させる混合部８６と、固定部８２ａの側面から固定部８２ａの径方向外側に向かって突出し固定部８２ａに連続形成された吐出部としての吐出ノズル８７と、を備えている。
【００２２】
混合部８６は、後述する第１送出経路７２と、後述する第２送出経路７４と、に連通するポンプ機構１の下方に設けられた部材であり、第１送出経路７２から送出された空気及び第２送出経路７４から送出された石鹸液Ｓは、混合部８６において混合される。吐出ノズル８７は、混合部８６に連通しており、その先端部には吐出口８７ａが形成されている。吐出ノズル８７には、混合部８６から吐出口８７ａに向かう経路を塞ぐ位置にメッシュ部材８７ｂが取り付けられている。このメッシュ部材８７ｂを、空気及び石鹸液Ｓの混合物が通過することで、きめ細やかなムース状の石鹸液が生成される。
【００２３】
＜ポンプ機構＞
ポンプ機構１は、空気（図示せず）と石鹸液Ｓとを吸入して送出する装置である。
【００２４】
図１、図２、図３に示すように、ポンプ機構１は、回転可能に設けられた斜板２と、斜板２を回転させる動力伝達機構３と、ピストン４１及びシリンダ４２を有する３つのピストンポンプ４と、シリンダ４２が形成された略円盤形状の部材であるシリンダ部材５と、ピストン６３を備える３つのダイヤフラムポンプ６と、空気及び石鹸液Ｓの吸入及び送出を行うための各経路が形成された流体経路ユニット７と、を備えている。ポンプ機構１は、動力伝達機構３に接続された斜板２、シリンダ部材５、ダイヤフラムポンプ６の後述するフランジ６２、流体経路ユニット７が、上から順に重ねられて形成されている（図２）。
【００２５】
動力伝達機構３は、回転操作部８５の回転数を増幅して回転部材であるカム３４を介して斜板２に伝達し、斜板２を回転させる。動力伝達機構３は、回転操作部８５に一体回転可能に設けられた第１ギア３１と、斜板２を回転させるカム３４に一体回転可能に設けられた第２ギア３２と、第１ギア３１と第２ギア３２との間に介在する３つのアイドルギア３３と、を備えた増速ギア列により構成されている。各アイドルギア３３は、小径の歯車と大径の歯車とを備え、一のアイドルギア３３の大径の歯車が他のアイドルギア３３の小径の歯車と噛み合わされて、第１ギア３１と第２ギア３２との間に配されている。第１ギア３１は、一のアイドルギア３３の小径の歯車と噛み合わされて、第２ギア３２は、最下段に配されたアイドルギア３３の大径の歯車と噛み合わされて配されている。これにより増速ギア列が構成されている。なお、回転操作部８５は、時計回り方向又は反時計回り方向のどちらに回転操作しても、等しく回転操作部８５の回転数を増幅して斜板２に伝達し、斜板２を回転させる。
【００２６】
図２、図３及び図５に示すように、斜板２は、略正三角形の薄板状の斜板本体２１と、斜板本体２１の中心から面に垂直に立設した回転軸２２と、斜板本体２１の中心から面に垂直に回転軸２２と反対側に立設した先端部２３と、を備えている。斜板２は、斜板本体２１の面に交差方向に貫通する軸（回転軸２２及び先端軸２３）の一方の端部（先端軸２３の端部）を支点とし、これを中心として他方（回転軸２２）を回転させることで傾斜角度を移動させる。ここで、斜板本体２１の中心とは、斜板本体２１の３つの頂点が円周上に位置する円の中心（回転中心）を意味する。図５に示すように、斜板本体２１には、ピストン６３の係止部６５と係止する第１係止部２４が、斜板本体２１の頂点近傍にそれぞれ１つずつ、つまり、回転方向に等間隔に計３つ形成されている。また、斜板本体２１には、第１係止部２４よりも回転軸２２寄り（回転中心寄り）の位置に、ピストン４１の後述する連結部４１ｂが係止する第２係止部２５が回転方向に等間隔に計３つ形成されている（図５）。第１係止部２４及び第２係止部２５は、斜板本体２１に形成された貫通孔により形成されている。さらに、一対の第１係止部２４と第２係止部２５は、斜板本体２１において回転軸２２（回転中心）を挟んで同一直線上に配されている（図５）。
【００２７】
図３及び図４に示すように、斜板２は、シリンダ部材５の中心部に形成された窪みである凹部５１に先端部２３が位置付けられてシリンダ部材５上に配され、回転軸２２がシリンダ部材５の面に対して傾斜するようにカム３４に接続されることにより、斜板本体２１がシリンダ部材５の面に対して常に傾斜した状態となっている。回転操作部８５の操作により動力伝達機構３を介して接続されたカム３４を回転させることで、回転軸２２が傾斜方向を変えるようにして回転し、これにより斜板２（斜板本体２１）は傾斜角度に応じて各ピストン６３及び各ピストン４１を往復移動させる。ここで、斜板２においてピストン４１は、ピストン６３と係止する第１係止部２４よりも回転中心寄りの第２係止部２５で係止されているため、ピストン４１における往復移動量は、ピストン６３の往復移動量よりも小さい。そのため、ピストンポンプ４における石鹸液Ｓの吸入量（流体吸入量）は、ダイヤフラムポンプ６における空気の吸入量（流体吸入量）よりも少ないものとなる。なお、「往復移動」とは、ダイヤフラム６１（ピストン６３）を略上下方向に移動させること、及び、ピストン４１を略上下方向に移動（ピストン運動）させることを意味する。
【００２８】
各ピストンポンプ４のシリンダ４２は、略円盤形状のシリンダ部材５に設けられた貫通孔により形成され、凹部５１を中心として周方向（斜板２の回転方向）に等間隔に３つ配されている。シリンダ４２の下側の開口は、重ねられた流体経路ユニット７に形成された第２吸入経路７３及び第２送出経路７４に接続されている。ピストン４１は、シリンダ４２内に摺動可能に保持されているピストン本体４１ａと、ピストン本体４１ａと斜板２とを連結する連結部４１ｂと、を備えている。連結部４１ｂは、例えばゴム等の弾性部材により形成された棒状の部材であり、斜板２の回転によりピストン４１にかかる応力を緩和することができる。この連結部４１ｂのピストン４１が接続された端部とは反対側の端部には細径部４３を介して細径部４３より径が太く形成された係止部４４が一体に形成されている。ピストン４１は、斜板本体２１の第２係止部２５に細径部４３が挿通されて、係止部４４により斜板２に係止される。
【００２９】
また、シリンダ部材５は、ダイヤフラムポンプ６の後述するダイヤフラム６１を保持するダイヤフラムホルダの役割を果し、シリンダ部材５にはダイヤフラム６１を保持するための貫通孔であるダイヤフラム保持孔５２が凹部５１を中心として周方向に等間隔に３つ形成されている。シリンダ部材５において、３つのシリンダ４２は、３つのダイヤフラム保持孔５２よりも中心寄りに形成され、さらに、一対のシリンダ４２とダイヤフラム保持孔５２（ダイヤフラムポンプ６）は、凹部５１を挟んで同一直線上に配されている。
【００３０】
ダイヤフラムポンプ６は、ゴム等の柔軟性を有する材料により形成され、凹部５１を中心として周方向（斜板２の回転方向）に等間隔に設けられ下方が開口した３つのダイヤフラム６１と、これら３つのダイヤフラム６１の下端部と連設する略円板状に形成されたフランジ６２と、により一体に形成されている。各ダイヤフラム６１の上側先端部には、垂直断面略円錐状のピストン６３が一体に形成されており、このピストン６３の上部には細径部６４を介して細径部６４より径が太く形成された係止部６５が一体に形成されている。ダイヤフラムポンプ６は、斜板本体２１の第１係止部２４に細径部６４が挿通されて、係止部６５により斜板２に係止される。
【００３１】
ダイヤフラムポンプ６のフランジ６２の上面にはシリンダ部材５が配され、フランジ６２の下面には流体経路ユニット７が配されており、シリンダ部材５と流体経路ユニット７とによりダイヤフラムポンプ６のフランジ６２が挟持されているため、この流体経路ユニット７とダイヤフラムポンプ６の各ダイヤフラム６１との間に３つのポンプ室６６が形成される。ポンプ室６６は、斜板２の回転によるピストン６３の往復移動に連動して生じるダイヤフラム６１の往復運動により拡縮する。なお、フランジ６２には、シリンダ４２と第２吸入経路７３及び第２送出経路７４とが連通可能なように、シリンダ４２に対応する位置に貫通穴６２ａが設けられている。
【００３２】
流体経路ユニット７は、第１吸入経路７１と、第１送出経路７２と、第２吸入経路７３と、第２送出経路７４と、を備える。図３には、第２吸入経路７３と、第２送出経路７４と、が示され、図４には、第１吸入経路７１と、第１送出経路７２と、が示されている。図３において矢印は石鹸液Ｓの流れを示し、図４において矢印は空気の流れを示している。
【００３３】
第１吸入経路７１は、一端がポンプ室６６に接続されて他端がポンプ機構１の外部から空気を取り入れるための空気吸入口に通じる経路に接続されている。第１吸入経路７１は、ポンプ室６６との接続部に第１吸入経路７１を開閉する逆止弁７１ａを備えており、当該逆止弁７１ａは空気がポンプ室６６から第１吸入経路に逆流することを規制している。
【００３４】
第１送出経路７２は、一端がポンプ室６６に接続されて他端が混合部８６に接続されている。第１送出経路７２は、ポンプ室６６との接続部に第１送出経路７２を開閉する逆止弁７２ａ、及び、逆止弁７２ａより下流側（混合部８６側）にさらなる逆止弁７２ｂを備えており、これら逆止弁７２ａ及び逆止弁７２ｂは空気や空気と石鹸液Ｓとの混合物が混合部８６から第１送出経路７２を通ってポンプ室６６に逆流することを規制している。
【００３５】
第２吸入経路７３は、一端がシリンダ４２に接続されて他端が吸上げチューブＴの一端に接続されている。第２吸入経路７３は、シリンダ４２との接続部に第２吸入経路７３を開閉する逆止弁７３ａを備えており、当該７３ａは石鹸液Ｓがシリンダ４２から第２吸入経路７３に逆流することを規制している。
【００３６】
第２送出経路７４は、一端がシリンダ４２に接続されて他端が混合部８６に接続されている。第２送出経路７４は、シリンダ４２との接続部に第２送出経路７４を開閉する逆止弁７４ａを備えており、当該逆止弁７４ａは空気や空気と石鹸液との混合物が混合部８６から第２送出経路７４を通ってシリンダ４２に逆流することを規制している。
【００３７】
次に、ポンプ機構１及びソープディスペンサー８の動作について、図１及び図６を用いて説明する。図６は、一対のダイヤフラムポンプ６とピストンポンプ４の動作を示す断面図である。使用者が回転操作部８５を時計回り方向又は反時計回り方向に回転させると、動力伝達機構３は、回転操作部８５の回転数を増幅して斜板２に伝達して斜板２を回転させ、傾斜角度に応じて各ダイヤフラム６１（ピストン６３）及び各ピストン４１を周方向に沿って順序に往復移動させる。ここで、ピストン４１は、シリンダ４２の長さ方向に沿った直線運動によりピストン運動を行うところ、斜板２は回転運動によりピストン４１をピストン運動させるため、ピストン４１には、斜板２の回転力をピストン４１の直線運動に変換するための応力が生じる。しかし、ピストン４１の連結部４１ｂが弾性部材で形成されているため、斜板２の回転によりピストン４１に生じる応力を、その形を変形させることで吸収することができる（図６）。
【００３８】
一対の第１係止部２４と第２係止部２５は、斜板本体２１において回転軸２２（回転中心）を挟んで同一直線上に配されているため、斜板２がピストン４１に向かうに従って下方に傾斜している状態、つまりピストン４１が下方に移動した時には、ダイヤフラム６１（ピストン６３）が上方に移動した状態、つまりポンプ室６６が膨らんだ状態となる（図６（ａ））。この時、ポンプ室６６には第１吸入経路７１から空気が吸入されるとともに、シリンダ４２からは石鹸液Ｓが第２送出経路７４に送出される。
【００３９】
一方、斜板２がダイヤフラムポンプ６に向かうに従って下方に傾斜している状態、つまり、ダイヤフラム６１（ピストン６３）が下方に移動し、ポンプ室６６が縮んだ時には、ピストンポンプ４のピストン４１が上方に移動した状態となる（図６（ｂ））。この時、ポンプ室６６から第１送出経路７２に空気が送出されるとともに、シリンダ４２内には第２吸入経路７３から石鹸液Ｓが吸入される。つまり、空気の吸入のタイミングで石鹸液Ｓの送出を行い、空気の送出のタイミングで石鹸液Ｓの吸入を行い、これらの動作が途切れず連続して交互に行われる。従って、空気又は石鹸液Ｓが絶えず混合部８６に送出され、混合部８６内で混合されて、さらに連続して送出されてくる空気及び石鹸液Ｓにより吐出ノズル８７に混合液として送出される。吐出ノズル８７を通過する際に、混合液はメッシュ部材８７ｂを通過することによって、きめ細やかなムース状の石鹸液が生成され、吐出口８７ａからムース状の石鹸液が吐出される。
【００４０】
上述した本実施形態に係るソープディスペンサー８は、手動により回転操作可能に設けられた回転操作部８５と、回転操作部８５の回転をポンプ機構１の往復移動に変換する動力伝達機構３と、を備えている。このような構成により、回転操作部８５をどちらの方向に回転しても石鹸液を吐出させることができるため、操作性に優れる。
【００４１】
また、上述した本実施形態に係るソープディスペンサー８は、回転によりポンプ機構１を往復移動させる斜板２を備え、動力伝達機構３が、回転操作部８５の回転数を増幅して斜板２に伝達し、斜板２を回転させる。このような構成により、少ない回転操作量で斜板２を増幅して回転させることができるため、操作性に優れる。また、回転操作部８５を連続して回転操作することが可能であり、連続して回転させることで石鹸液Ｓ及び空気を無段階に必要量吐出させることができるため、操作性に優れる。
【００４２】
また、上述した本実施形態に係るソープディスペンサー８は、動力伝達機構３が、回転操作部８５に一体回転可能に設けられた第１ギア３１と、斜板２を回転させるカム３４に一体回転可能に設けられた第２ギア３２と、第１ギア３１と第２ギア３２との間に介在する３つのアイドルギア３３と、を備えた増速ギア列により構成されている。このような構成により、少ない回転操作量で斜板２を増幅して回転させることができるため、操作性に優れる。
【００４３】
また、上述した本実施形態に係るソープディスペンサー８は、ポンプ機構１が、ダイヤフラム６１によりポンプ室６６の体積を拡縮させるダイヤフラムポンプ６と、ピストン４１及び当該ピストン４１を収容するシリンダ４２を有するピストンポンプ４と、を備え、斜板２が、回転することにより傾斜角度に応じてダイヤフラム６１及びピストン４１を往復移動させる構成とされている。このような構成により、空気をダイヤフラムポンプ６を用いて吸入して送出し、石鹸液Ｓをピストンポンプ４を用いて吸入し送出することができ、空気と石鹸液Ｓとの混合比を適切に調整することができる。
【００４４】
以上、説明した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明のソープディスペンサーの構成を具備する限り、勿論、本発明の範疇に含まれるものである。
【００４５】
例えば、上記実施形態においては、連結部４１ｂは弾性部材で構成される構成としたが、弾性部材で構成されていなくてもよく、また、連結部４１ｂとしてリンクを用いてもよい。リンクを用いた場合であっても、斜板２の回転運動を直線運動であるピストン運動に変換することにより生じるピストン４１への負荷を吸収することができるため、斜板２の傾斜角度に応じてピストン４１にピストン運動を行わせることが可能となる。また、ピストン４１への負荷が緩和されるため、ポンプ機構１及びこれを備えるソープディスペンサー８の長寿命化を図ることができる。
【００４６】
また、上記実施形態においては、ダイヤフラムポンプ６とピストンポンプ４の数は各３つとして説明したが、これに限定されることはなく、１つ又は２つでもよく、４つ以上であってもよい。
【００４７】
また、上記実施形態において斜板２は、略三角形状の構成として説明したが、斜板２の回転により傾斜角度に応じて各ダイヤフラム６１（ピストン６３）及び各ピストン４１を往復移動させることが可能であればこれに限定されることはない。例えば、円形や四角形の薄板状の構成としてもよく、円形の薄板状の構成とした場合には、円の中心に回転軸２２が配される。
【００４８】
また、上記実施形態においては、石鹸液Ｓの他空気を含む構成としたが、これに限定されることはない。例えば、石鹸液Ｓを希釈する水、薬液等の液体や、空気以外の気体を流体として石鹸液Ｓと混合してもよい。さらに、上記実施形態においてソープディスペンサー８は、ムース状の石鹸液を供給する構成としたが、これに限定されることはなく、ムース状でなくてもよい。
【００４９】
また、上記実施形態においては、ポンプ機構１において、空気と石鹸液Ｓの２つの流体を吸入して送出する構成としたが、これに限定されることはなく、ポンプ機構１において石鹸液のみを送出する構成としてもよい。
【００５０】
また、上記実施形態においては、アイドルギア３３の数は３つとして説明したが、これに限定されることはなく、１つ又は２つでもよく、４つ以上であってもよい。
【符号の説明】
【００５１】
１        ポンプ機構
２        斜板
３        動力伝達機構
３１      第１ギア
３２      第２ギア
３３      アイドルギア
４        ピストンポンプ
４１      ピストン
４２      シリンダ
６        ダイヤフラムポンプ
６１      ダイヤフラム
８        ソープディスペンサー
８５      回転操作部
８７      吐出ノズル（吐出部）
【図１】
2018001083.tif 000003
【図２】
2018001083.tif 000004
【図３】
2018001083.tif 000005
【図４】
2018001083.tif 000006
【図５】
2018001083.tif 000007
【図６】
2018001083.tif 000008